(57)【要約】【課題】  プラグとレセプタクルの勘合の際にプラグの接触ピンと導通するレセプタクルの複数端子の切り替えが容易な同軸コネクタを得る。【解決手段】  プラグの接触ピンがレセプタクルの接点バネに接触し、かつプラグの樹脂製突起がレセプタクルの第１スイッチバネの一端を押し下げるように前記プラグを前記レセプタクルに勘合する場合、前記第１スイッチバネが前記中心導体と非接触となり、前記接触ピンが前記第２スイッチバネを介して前記第２端子と電気的に接続され、また、プラグの接触ピンがレセプタクルの接点バネに接触し、かつ樹脂製突起が前記第２スイッチバネの一端を押し下げるように前記プラグを前記レセプタクルに勘合する場合、前記第２スイッチバネが前記中心導体と非接触となり、前記接触ピンが前記第１スイッチバネを介して前記第１端子と電気的に接続されるようにする。【選択図】          図４
2008226588.tif 000002
【特許請求の範囲】
【請求項１】
レセプタクルとプラグから成るスイッチ付き同軸コネクタにおいて、
前記レセプタクルは、
円筒状のレセプタクル外導体、
前記レセプタクル外導体の略中心部に設けられ接点バネを有する中心導体、
信号の入出力を行う第１端子および第２端子、
一端が前記中心導体に弾性的に接触し他端が前記第１端子に接続される第１スイッチバネ、および
一端が前記中心導体に弾性的に接触し他端が前記第２端子に接続される第２スイッチバネを備え、
前記プラグは、
円筒状のプラグ外導体、
前記プラグ外導体内側の略中心部に設けられた接触ピン、および
前記プラグ外導体と前記接触ピンとの間に設けられた樹脂製突起を備え、
前記接触ピンが前記接点バネに接触し、かつ前記樹脂製突起が前記第１スイッチバネの一端を押し下げるように前記プラグを前記レセプタクルに勘合する際に、前記第１スイッチバネが前記中心導体と非接触となり、前記接触ピンが前記第２スイッチバネを介して前記第２端子と電気的に接続され、
前記接触ピンが前記接点バネに接触し、かつ前記樹脂製突起が前記第２スイッチバネの一端を押し下げるように前記プラグを前記レセプタクルに勘合する際に、前記第２スイッチバネが前記中心導体と非接触となり、前記接触ピンが前記第１スイッチバネを介して前記第１端子と電気的に接続されることを特徴とするスイッチ付き同軸コネクタ。
【請求項２】
前記プラグは、前記接触ピンと接続される芯線および前記プラグ外導体と接続される外導体を有する同軸ケーブルを備え、
前記接触ピンが前記接点バネに接触し、かつ前記樹脂製突起が前記第１スイッチバネの一端を押し下げるように前記プラグを前記レセプタクルに勘合する際に、前記同軸ケーブルが当該プラグの挿抜方向に略直角であって前記第１端子の延在する方向と略平行に引き出されることを特徴とする請求項１に記載のスイッチ付き同軸コネクタ。
【請求項３】
アンテナ部、
前記アンテナ部を介して無線信号を通信する無線部、および
前記無線部へ接続される第１端子と前記アンテナ部へ接続される第２端子を有し、プラグと対を成してスイッチ付き同軸コネクタを形成するレセプタクルを備え、
前記プラグは、
円筒状のプラグ外導体、
前記プラグ外導体内側の略中心部に設けられた接触ピン、
前記プラグ外導体と前記接触ピンとの間に設けられた樹脂製突起を有し、
前記レセプタクルは、
円筒状のレセプタクル外導体、
前記レセプタクル外導体の略中心部に設けられ接点バネを有する中心導体、
一端が前記中心導体に弾性的に接触し他端が前記第１端子に接続される第１スイッチバネ、
一端が前記中心導体に弾性的に接触し他端が前記第２端子に接続される第２スイッチバネを有し、
前記接触ピンが前記接点バネに接触し、かつ前記樹脂製突起が前記第１スイッチバネの一端を押し下げるように前記プラグを前記レセプタクルに勘合する際に、前記第１スイッチバネが前記中心導体と非接触となり、前記接触ピンが前記第２スイッチバネと第２端子を介して前記アンテナ部と電気的に接続され、
前記接触ピンが前記接点バネに接触し、かつ前記樹脂製突起が前記第２スイッチバネの一端を押し下げるように前記プラグを前記レセプタクルに勘合する際に、前記第２スイッチバネが前記中心導体と非接触となり、前記接触ピンが前記第１スイッチバネと第１端子を介して前記無線部と電気的に接続されることを特徴とする無線端末。
【請求項４】
前記プラグは、前記無線部または前記アンテナ部を測定するための同軸ケーブルを有し、
前記接触ピンが前記接点バネに接触し、かつ前記樹脂製突起が前記第１スイッチバネの一端を押し下げるように前記プラグを前記レセプタクルに勘合する際に、前記同軸ケーブルが当該プラグの挿抜方向に略直角であって前記第１端子の延在する方向と略平行に引き出されることを特徴とする請求項３に記載の無線端末。
【請求項５】
アンテナ部、
前記アンテナ部を介して無線信号を通信する無線部、
前記無線部へ接続される第１端子と前記アンテナ部へ接続される第２端子を有し、第１プラグまたは第２プラグと対を成してスイッチ付き同軸コネクタを形成するレセプタクルを備え、
前記第１プラグは、
前記無線部を測定するための無線部測定用同軸ケーブル、
前記無線部測定用同軸ケーブルの外導体に接続された円筒状のプラグ外導体、
前記プラグ外導体内側の略中心部に設けられ前記無線部測定用同軸ケーブルの芯線に接続された接触ピン、
前記プラグ外導体と前記接触ピンとの間に設けられた樹脂製突起、および
所定の断面形状を有する第１樹脂勘合部を有し、
前記第２プラグは、
前記アンテナ部を測定するためのアンテナ部測定用同軸ケーブル、
前記アンテナ部測定用同軸ケーブルの外導体に接続された円筒状のプラグ外導体、
前記プラグ外導体内側の略中心部に設けられ前記アンテナ部測定用同軸ケーブルの芯線に接続された接触ピン、
前記プラグ外導体と前記接触ピンとの間に設けられた樹脂製突起、および
前記第１プラグとは異なる断面形状を有する第２樹脂勘合部を有し、
前記レセプタクルは、
円筒状のレセプタクル外導体、
前記レセプタクル外導体内側の略中心部に設けられ接点バネを有する中心導体、
一端が前記中心導体に弾性的に接触し他端が前記第１端子に接続される第１スイッチバネ、
一端が前記中心導体に弾性的に接触し他端が前記第２端子に接続される第２スイッチバネ、
前記第１樹脂勘合部と勘合する断面形状の第１樹脂勘合受け部、および
前記第２樹脂勘合部と勘合する断面形状の第２樹脂勘合受け部を有し、
前記接触ピンが前記接点バネに接触し、かつ第１樹脂勘合部と第１樹脂勘合受け部が勘合するように前記プラグを前記レセプタクルに勘合する際に、前記樹脂製突起により前記第１スイッチバネの一端が押し下げられ前記第１スイッチバネが前記中心導体と非接触となり、前記第２プラグの接触ピンが前記第２スイッチバネと第２端子を介して前記アンテナ部と電気的に接続され、
前記接触ピンが前記接点バネに接触し、かつ第２樹脂勘合部と第２樹脂勘合受け部が勘合するように前記プラグを前記レセプタクルに勘合する際に、前記樹脂製突起により前記第２スイッチバネの一端が押し下げられ前記第２スイッチバネが前記中心導体と非接触となり、前記第１プラグの接触ピンが前記第１スイッチバネと第１端子を介して前記無線部と電気的に接続されることを特徴とする無線端末。
【発明の詳細な説明】
【技術分野】
【０００１】
この発明は、複数の入出力端子をスイッチ切り替え可能な同軸コネクタと、これを備える無線端末に関する。
【背景技術】
【０００２】
アンテナ部、無線部を有し、基地局との送受信を行う従来の携帯電話では、無線部の無線性能のばらつきを抑えるために、出荷検査等で１台毎に無線部の測定を実施し、その結果を制御部の持つハードウェアパラメータに反映させている。この測定は、アンテナ部と無線部とを接続する信号線上に特許文献１に記載のスイッチ付き同軸コネクタのレセプタクルを実装し、これにプラグを差し込むことでアンテナ部と無線部とを切り離し、かつプラグ経由で無線部と計測器を接続させることで行っていた。
【０００３】
一方、アンテナ部は、携帯電話の多周波化や複合システム対応のため広帯域化が求められ、かつ携帯電話の薄型化、小型化に対応する必要があるため、狭帯域のアンテナ素子に可変リアクタンス素子を用いた整合回路を組み合わせる等で、高精度化や擬似的な広帯域化を行っている。このように、整合回路に可変リアクタンス素子を用いる場合、元々の周波数帯域が狭く、また共振回路を構成する場合、共振周波数のばらつきを生じる可能性が高いので、無線部同様にアンテナ部についても、インピーダンス等の出荷検査および調整を行うことが望ましいと考えられる。
【０００４】
【特許文献１】特開２００６−６６２８１
【発明の開示】
【発明が解決しようとする課題】
【０００５】
従来の携帯電話においては、プラグを差し込むことで、無線部のみの性能を測定可能な同軸コネクタのレセプタクルを実装していたので、アンテナ部については、詳細な性能測定ができないという問題点があった。
【０００６】
この発明は、上記のような問題点を解消するためになされたものであって、無線端末において、無線部とアンテナ部の両方の無線性能を測定可能なスイッチ付き同軸コネクタと、これを備えて無線部とアンテナ部の両方の無線性能の測定が可能な無線端末を提供することを目的とする。
【課題を解決するための手段】
【０００７】
第１の発明に係るスイッチ付き同軸コネクタは、レセプタクルとプラグから成り、前記レセプタクルが、円筒状のレセプタクル外導体と、前記レセプタクル外導体の略中心部に設けられ接点バネを有する中心導体と、信号の入出力を行う第１端子および第２端子と、一端が前記中心導体に弾性的に接触し他端が前記第１端子に接続される第１スイッチバネと、一端が前記中心導体に弾性的に接触し他端が前記第２端子に接続される第２スイッチバネを備え、前記プラグが、円筒状のプラグ外導体と、前記プラグ外導体内側の略中心部に設けられた接触ピンと、前記プラグ外導体と前記接触ピンとの間に設けられた樹脂製突起を備え、前記接触ピンが前記接点バネに接触し、かつ前記樹脂製突起が前記第１スイッチバネの一端を押し下げるように前記プラグを前記レセプタクルに勘合する際に、前記第１スイッチバネが前記中心導体と非接触となり、前記接触ピンが前記第２スイッチバネを介して前記第２端子と電気的に接続され、前記接触ピンが前記接点バネに接触し、かつ前記樹脂製突起が前記第２スイッチバネの一端を押し下げるように前記プラグを前記レセプタクルに勘合する際に、前記第２スイッチバネが前記中心導体と非接触となり、前記接触ピンが前記第１スイッチバネを介して前記第１端子と電気的に接続されるようにしたものである。
【０００８】
第２の発明に係る無線端末は、アンテナ部と、前記アンテナ部を介して無線信号を通信する無線部と、前記無線部へ接続される第１端子と前記アンテナ部へ接続される第２端子を有し、プラグと対を成してスイッチ付き同軸コネクタを形成するレセプタクルとを備え、前記プラグが、円筒状のプラグ外導体、前記プラグ外導体内側の略中心部に設けられた接触ピン、前記プラグ外導体と前記接触ピンとの間に設けられた樹脂製突起を有し、前記レセプタクルが、円筒状のレセプタクル外導体、前記レセプタクル外導体の略中心部に設けられ接点バネを有する中心導体、一端が前記中心導体に弾性的に接触し他端が前記第１端子に接続される第１スイッチバネ、一端が前記中心導体に弾性的に接触し他端が前記第２端子に接続される第２スイッチバネを有し、前記接触ピンが前記接点バネに接触し、かつ前記樹脂製突起が前記第１スイッチバネの一端を押し下げるように前記プラグを前記レセプタクルに勘合する際に、前記第１スイッチバネが前記中心導体と非接触となり、前記接触ピンが前記第２スイッチバネと第２端子を介して前記アンテナ部と電気的に接続され、前記接触ピンが前記接点バネに接触し、かつ前記樹脂製突起が前記第２スイッチバネの一端を押し下げるように前記プラグを前記レセプタクルに勘合する際に、前記第２スイッチバネが前記中心導体と非接触となり、前記接触ピンが前記第１スイッチバネと第１端子を介して前記無線部と電気的に接続されるようにしたものである。
【発明の効果】
【０００９】
第１の発明によれば、プラグとレセプタクルを勘合させて信号を導通させる同軸コネクタにおいて、プラグの接触ピンがレセプタクルの接点バネに接触し、かつプラグの樹脂製突起がレセプタクルの第１スイッチバネの一端を押し下げるように前記プラグを前記レセプタクルに勘合する場合に、前記第１スイッチバネが前記中心導体と非接触となり、前記接触ピンが前記第２スイッチバネを介して前記第２端子と電気的に接続され、また、プラグの接触ピンがレセプタクルの接点バネに接触し、かつ樹脂製突起が前記第２スイッチバネの一端を押し下げるように前記プラグを前記レセプタクルに勘合する場合に、前記第２スイッチバネが前記中心導体と非接触となり、前記接触ピンが前記第１スイッチバネを介して前記第１端子と電気的に接続されるようにしたので、プラグの接触ピンと導通するレセプタクルの第１端子／第２端子の切り替えを、容易に行うことが可能になる。
【００１０】
第２の発明によれば、プラグと対を成してスイッチ付き同軸コネクタを形成するレセプタクルを備えて、アンテナ部および無線部の一方とプラグの接触ピンとを導通させる無線端末において、プラグの接触ピンがレセプタクルの接点バネに接触し、かつプラグの樹脂製突起がレセプタクルの第１スイッチバネの一端を押し下げるように前記プラグを前記レセプタクルに勘合する場合に、前記第１スイッチバネが前記中心導体と非接触となり、プラグの接触ピンが前記第２スイッチバネと第２端子を介して前記アンテナ部と電気的に接続され、また、プラグの接触ピンがレセプタクルの接点バネに接触し、かつプラグの樹脂製突起がレセプタクルの第２スイッチバネの一端を押し下げるように前記プラグを前記レセプタクルに勘合する際に、前記第２スイッチバネが前記中心導体と非接触となり、前記接触ピンが前記第１スイッチバネと第１端子を介して前記無線部と電気的に接続されるようにしたので、プラグの接触ピンと導通する無線端末の無線部／アンテナ部の切り替えを、容易に行うことが可能になる。
【発明を実施するための最良の形態】
【００１１】
実施の形態１．
以下、この発明の実施の形態１を、図を用いて説明する。図１は、この発明の実施の形態１に係るスイッチ付き同軸コネクタを備えた携帯電話（無線端末）のブロック図である。携帯電話１０は、主にアンテナ部１１、送受信用ＩＣ１７を含む無線部１６、制御部１８、操作部１９、表示部２０から構成される。アンテナ部１１は、アンテナ素子１２、給電部１３、整合回路１４から構成され、整合回路１４には、ＰＩＮダイオード、バリキャップダイオードなどの可変リアクタンス素子を用いた共振回路を備え、多周波数に対応して共振周波数の調整や切り替えの可能な構成をとる。各可変リアクタンス素子の制御線は制御部１８に接続され、制御部１８からの信号に基づきリアクタンス値が変更される。携帯電話１０は、制御部１８の制御に基づき、無線部１６で処理するＲＦ信号をアンテナ部１１を介して基地局と通信する。アンテナ部１１と無線部１６との間には、アンテナ部側、無線部側それぞれに続く信号線をつなぐように、この発明の実施の形態１に係るスイッチ付き同軸コネクタのレセプタクル２１が実装されている。
【００１２】
このレセプタクル２１の概観図を図２に、断面模式図を図３に示す。図において、レセプタクル２１は基板２７上に配し、それぞれ無線部１６またはアンテナ部１１に接続された信号線をつなぐように実装され、中心に設けられた中心導体２６、この中心導体２６と一体化した接点バネ２９、無線部側信号線に接続される入出力端子を有するスイッチバネ２４、アンテナ部側信号線に接続される入出力端子を有するスイッチバネ２５と、これらを囲む円筒状の外導体３０から構成される。また、外導体３０の内側には、高周波特性、耐久性に優れた樹脂２８が設けられ、スイッチバネ２４、２５、および接点バネ２９を弾性を持たせて支えるとともに、後述するプラグ３１の樹脂製突起３３の挿入をガイドする円筒状の穴２２、２３を構成している。
【００１３】
一方、この発明の実施の形態１に係るスイッチ付き同軸コネクタのプラグ３１の概観図を図４および図６に、プラグ３１をレセプタクル２１に勘合させた状態の断面模式図を図５および図７に示す。プラグ３１は、レセプタクル２１の外導体３０と接触する円筒状の外導体３２、その略中心に設けられた接触ピン３４、外導体３２の内側に設けられ、接触ピン３４を保持する耐久性、高周波特性に優れた樹脂３７、樹脂３７の一部である樹脂製突起３３で構成される。プラグ３１には、接触ピン３４に接続された芯線３６と、外導体３２に接続された外導体を含む同軸ケーブル３５が接続される。
【００１４】
以下に、この実施の形態１のスイッチ付き同軸コネクタのレセプタクル２１とプラグ３１が勘合して、プラグ３１の接続先がアンテナ部１１または無線部１６に切り替わる動作を、図を用いて説明する。まず、無線部１６の測定時について、図４の矢印で示す方向でプラグ３１をレセプタクル２１へ差し込むと、プラグ３１内に設けられた接触ピン３４とレセプタクル２１内の接点バネ２９が接触する。これと同時に、プラグ３１内の樹脂製突起３３がレセプタクル２１に設けられた穴２２に差し込まれ、スイッチバネ２５を矢印の方向へ押し下げることで、スイッチバネ２５と中心導体２６が切り離される。図５に示すようにプラグ３１とレセプタクル２１の勘合後、プラグ３１に接続された同軸ケーブル３５は接触ピン３４、スイッチバネ２４を介して無線部１６と接続され、同軸ケーブル３５の図示しない他端を基地局シミュレータ、シグナルジェネレータ、またはパワーメータなどの計測器に接続することで、無線部１６の測定が可能になる。
【００１５】
次に、アンテナ部１１の測定時について、図６の矢印で示す方向でプラグ３１をレセプタクル２１へ差し込むと、プラグ３１内に設けられた接触ピン３４とレセプタクル２１内の接点バネ２９が接触する。これと同時に、プラグ３１内の樹脂製突起３３がレセプタクル２１に設けられた穴２３に差し込まれ、スイッチバネ２４を矢印の方向へ押し下げることで、スイッチバネ２４と中心導体２６が切り離される。図７に示すようにプラグ３１とレセプタクル２１の勘合後、プラグ３１に接続された同軸ケーブル３５は接触ピン３４、スイッチバネ２５を介してアンテナ部１１と接続され、同軸ケーブル３５の図示しない他端をネットワークアナライザなどの計測器に接続することで、アンテナ部１１のインピーダンス測定が可能になる。
【００１６】
以上のように、この実施の形態１のスイッチ付き同軸コネクタを用いることによって、１つのレセプタクル２１を無線部１６とアンテナ部１１の間に実装することで、携帯電話内部のレセプタクル実装面積を増やすことなく、無線部１６とアンテナ部１１の両方の性能を測定することが可能となる。
【００１７】
尚、図８に示すように、測定に使用するプラグ４１の同軸ケーブル３５を樹脂製突起４０の設けられている方向（勘合時にスイッチバネ２４の入出力端子が延在する方向と略平行な方向）へ延びるように設ける構成にすることで、アンテナ部１１の測定時において同軸ケーブル３５がアンテナ部１１の近傍に存在しないようにできる。これにより、同軸ケーブルに含まれる金属、誘電体の影響でアンテナ部１１の共振周波数が変化することがなくなり、アンテナ部１１の性能をより正確に測定することが可能になる。
【００１８】
実施の形態２．
以下、この発明の実施の形態２を、図を用いて説明する。この発明の実施の形態２に係るスイッチ付き同軸コネクタのレセプタクル５１を実装した携帯電話の構成は、当該レセプタクル５１以外の部分については実施の形態１と同様であるため、説明を省略する。
【００１９】
このレセプタクル５１とこれに勘合する無線部測定用プラグ６１の概観図を図９に、レセプタクル５１とこれに勘合するアンテナ部測定用プラグ７１の概観図を図１０に示す。図において、レセプタクル５１は基板２７上に配し、それぞれ無線部１６またはアンテナ部１１に接続された信号線をつなぐように実装され、中心に設けられた中心導体２６、この中心導体２６と一体化した接点バネ２９、無線部側信号線に接続されるスイッチバネ２４、アンテナ部信号線に接続されるスイッチバネ２５と、これらを囲む円筒状の外導体３０から構成される。また、外導体３０の内側には、高周波特性、耐久性に優れた樹脂２８が設けられ、スイッチバネ２４、２５、および接点バネ２９を弾性を持たせて支えるとともに、後述するプラグ６１の樹脂製突起３３の挿入をガイドする円筒状の穴２２、２３、および穴（樹脂勘合受け部）５２、穴（樹脂勘合受け部）５３を構成している。穴５２の挿入方向（矢印方向）に垂直な断面の形状は、後述するプラグ６１の樹脂製突起（樹脂勘合部）６０の断面と同じ形状とし、穴５３の上記断面の形状は、穴５２とは異なり、かつ後述するプラグ７１の樹脂製突起（樹脂勘合部）７０の断面と同じ形状とする。
【００２０】
一方、図９において、アンテナ部測定用プラグ６１は、レセプタクル５１の外導体３０と接触する円筒状の外導体３２、中心に設けられた接触ピン３４、外導体３２の内側に設けられ、接触ピン３４を保持する耐久性、高周波特性に優れた樹脂３７、樹脂３７の一部である樹脂製突起３３、６０で構成される。樹脂製突起６０の挿入方向に垂直な断面の形状は、レセプタクル５１の穴５２の断面と同じ形状とし、プラグの誤挿入を防止する。また、図１０において、無線部測定用プラグ７１は、レセプタクル５１の外導体３０と接触する円筒状の外導体３２、中心に設けられた接触ピン３４、外導体３２の内側に設けられ、接触ピン３４を保持する耐久性、高周波特性に優れた樹脂３７、樹脂３７の一部である樹脂製突起３３、７０で構成される。樹脂製突起７０の挿入方向に垂直な断面の形状は、レセプタクル５１の穴５３の断面と同じ形状とし、プラグの誤挿入を防止する。
【００２１】
以上のように、この実施の形態２のスイッチ付き同軸コネクタを用いることによって、１つのレセプタクル５１を無線部１６とアンテナ部１１の間に実装することで、携帯電話内部のレセプタクル実装面積を増やすことなく、無線部１６とアンテナ部１１の両方の性能を測定することが可能となる。
【００２２】
さらに、レセプタクル５１に勘合するプラグとして、誤挿入防止用の樹脂製突起６０を備えるアンテナ部測定用プラグ６１と、誤挿入防止用の樹脂製突起７０を備える無線部測定用プラグ７１とを用い、樹脂製突起６０の断面形状をレセプタクル５１の穴５２の断面形状に合わせ、樹脂製突起７０の断面形状をレセプタクル５１の穴５３の断面形状に合わせるようにしたので、各プラグの誤挿入を防ぐことが可能となる。
【００２３】
実施の形態３．
以下、この発明の実施の形態３として、この発明のスイッチ付き同軸コネクタを備えた携帯電話の検査方法を、図を用いて説明する。図１１、１２は、例えばこの発明に係る携帯電話の無線部、アンテナ部の出荷検査を行う場合の構成図を示す。図１１において、携帯電話１０は、図１において説明したのものと同様に、アンテナ部１１と図示しない無線部１６、およびこれらの間にレセプタクル２１を備える。プラグ３１は、同軸ケーブル３５を介して基地局シミュレータ、シグナルジェネレータ、またはパワーメータなどの計測器８１に接続される。
【００２４】
図４で説明した方向でプラグ３１をレセプタクル２１に勘合させると、図５に示すとおり無線部１６からアンテナ部１１が切り離され、無線部１６と計測器８１が接続される。そして、無線部１６の出荷検査を実施し、測定結果を制御部１８の持つハードウェアパラメータに反映させることで、無線部１６の無線性能を調整する。これにより、携帯電話１台毎の無線部性能のばらつきを抑えることができる。
【００２５】
図１２は、アンテナ部の出荷検査を行う場合の構成図を示し、図において、携帯電話１０は、図１において説明したのものと同様に、アンテナ部１１と図示しない無線部１６、およびこれらの間にレセプタクル２１を備える。プラグ３１は、同軸ケーブル３５を介してネットワークアナライザなどのアンテナ部のインピーダンスを測定可能な計測器８２に接続される。
【００２６】
図６で説明した方向でプラグ３１をレセプタクル２１に勘合させると、図７に示すとおりアンテナ部１１から無線部１６が切り離され、アンテナ部１１と計測器８２が接続される。そして、必要なチャネル（必要であれば、全チャネル）でアンテナ部のインピーダンスを測定し、チャネル毎の測定結果を制御部１８の持つハードウェアパラメータに反映させる。これにより、整合回路１４の可変リアクタンス素子の値を、個々のアンテナ素子の特性や使用チャネルに合わせて調整できるようになり、携帯電話１台毎のアンテナ部性能のばらつきを抑えることができる。
【００２７】
以上のように、この発明のスイッチ付き同軸コネクタを用いることで、携帯電話内部のレセプタクル実装面積を増やすことなく、無線部１６とアンテナ部１１の両方の出荷検査を容易に行うことができ、また測定結果に基づく調整を行うことで、携帯電話１台毎の無線部およびアンテナ部の性能のばらつきを抑えることが可能になる。
【産業上の利用可能性】
【００２８】
無線端末において、アンテナ部および無線部両方の測定を行う出荷検査に用いることが可能である。
【図面の簡単な説明】
【００２９】
【図１】この発明の実施の形態１に係る携帯電話のブロック図である。
【図２】この発明の実施の形態１に係るレセプタクルの概観図である。
【図３】この発明の実施の形態１に係るレセプタクルの断面模式図である。
【図４】この発明の実施の形態１に係るプラグの概観図である。
【図５】この発明の実施の形態１に係るスイッチ付き同軸コネクタの断面模式図である。
【図６】この発明の実施の形態１に係るプラグの概観図である。
【図７】この発明の実施の形態１に係るスイッチ付き同軸コネクタの断面模式図である。
【図８】この発明の実施の形態１に係るスイッチ付き同軸コネクタの概観図である。
【図９】この発明の実施の形態２に係るスイッチ付き同軸コネクタの概観図である。
【図１０】この発明の実施の形態２に係るスイッチ付き同軸コネクタの概観図である。
【図１１】この発明の実施の形態３に係る測定を行う場合の構成図である。
【図１２】この発明の実施の形態３に係る測定を行う場合の構成図である。
【符号の説明】
【００３０】
１０  携帯電話、１１  アンテナ部、１６  無線部、２１  レセプタクル、２２  穴、
２３  穴、２４  スイッチバネ、２５  スイッチバネ、２６  中心導体、２８  樹脂、
２９  接点バネ、３０  外導体、３１  プラグ、３２  外導体、３３  樹脂製突起、
３４  接触ピン、３５  同軸ケーブル、３６  芯線、３７  樹脂、４０  樹脂製突起、
４１  プラグ、５１  レセプタクル、５２  穴、５３  穴、６０  樹脂製突起、
６１  無線部測定用プラグ、７０  樹脂製突起、７１  アンテナ部測定用プラグ。
【図１】
2008226588.tif 000003
【図２】
2008226588.tif 000004
【図３】
2008226588.tif 000005
【図４】
2008226588.tif 000006
【図５】
2008226588.tif 000007
【図６】
2008226588.tif 000008
【図７】
2008226588.tif 000009
【図８】
2008226588.tif 000010
【図９】
2008226588.tif 000011
【図１０】
2008226588.tif 000012
【図１１】
2008226588.tif 000013
【図１２】
2008226588.tif 000014